(57)【要約】【課題】表皮材の周縁部の全周を、簡単かつ確実にフレームに固定した椅子用座席を提供する。【解決手段】フレーム１４の上部に、基板１５とクッション材１６とを配置し、それら全体を表皮材１７で覆った椅子用座席である。フレーム１４はその下部に内向きの屈曲壁１９を備えたものであり、表皮材１７はその周縁部にリング状の樹脂バンド２１が取り付けられたものである。この樹脂バンド２１をフレーム１４の内向きの屈曲壁の内部に弾性的に折り込み、この折り込みによって生じる外向きの反発力を利用して、表皮材１７の周縁部をフレーム１４に固定した。【選択図】図２
2020068932.tif 000002
【特許請求の範囲】
【請求項１】
フレームの上部に、基板とクッション材とを配置し、それら全体を表皮材で覆った椅子用座席であって、フレームはその下部に内向きの屈曲壁を備えたものであり、表皮材はその周縁部にリング状の樹脂バンドが取り付けられたものであり、この樹脂バンドをフレームの内向きの屈曲壁の内部に弾性的に折り込み、この折り込みによって生じる外向きの反発力を利用して、表皮材の周縁部をフレームに固定したことを特徴とする椅子用座席。
【請求項２】
表皮材は布、ビニールレザー、革などの縫製品であり、その周縁部に樹脂バンドを縫い付けたものであることを特徴とする請求項１に記載の椅子用座席。
【請求項３】
樹脂バンドは一定幅の樹脂芯材であり、その両端部を接続してリング状としたことを特徴とする請求項１または２に記載の椅子用座席。
【発明の詳細な説明】
【技術分野】
【０００１】
本発明は、椅子用座席に関するものである。
【背景技術】
【０００２】
劇場、映画館、音楽ホールなどに設置される椅子の座席は、水平な回転軸を備えた金属製のフレームの上部に、基板とクッション材とを配置し、それら全体を表皮材で覆った構造となっている。
【０００３】
表皮材の周縁部の固定方式には様々な形態があり、例えば特許文献１のように表皮材の周縁部を基板の裏側に巻き込み、接着剤で固定する方式がある。しかし表皮材の周縁部全体をシワが生じないように巻き込みながら、接着固定する作業には熟練を要するという問題があった。また、表皮材の周縁部を基板の裏側に巻き込み、タッカーで止める方式もあるが、やはり作業には熟練を要するうえ、多数のタッカーを打つ必要があるので、作業性が悪いという問題があった。
【０００４】
また、回転軸を備えた金属製のフレームは下端を内側に突出させた断面Ｌ字状のものが多いので、表皮材の周縁部を金属製のクリップを用いて金属製のフレームに固定する方式も用いられている。しかし表皮材の周縁部全周をシワが生じないように確実に固定するためには、２０個以上の多くのクリップを用いる必要があり、その作業に熟練を要するとともに、多くの手数を要するという問題があった。
【先行技術文献】
【特許文献】
【０００５】
【特許文献１】特開２００１−９５６４４号公報
【発明の概要】
【発明が解決しようとする課題】
【０００６】
従って本発明の目的は上記した従来の問題点を解決し、表皮材の周縁部の全周を、簡単かつ確実にフレームに固定した椅子用座席を提供することである。
【課題を解決するための手段】
【０００７】
上記の課題を解決するためになされた本発明は、フレームの上部に、基板とクッション材とを配置し、それら全体を表皮材で覆った椅子用座席であって、フレームはその下部に内向きの屈曲壁を備えたものであり、表皮材はその周縁部にリング状の樹脂バンドが取り付けられたものであり、この樹脂バンドをフレームの内向きの屈曲壁の内部に弾性的に折り込み、この折り込みによって生じる外向きの反発力を利用して、表皮材の周縁部をフレームに固定したことを特徴とするものである。
【０００８】
なお請求項２のように、表皮材は布、ビニールレザー、革などの縫製品であり、その周縁部に樹脂バンドを縫い付けたものであることが好ましい。また請求項３のように、樹脂バンドは一定幅の樹脂芯材であり、その両端部を接続してリング状としたものであることが好ましい。
【発明の効果】
【０００９】
本発明の椅子用座席は、表皮材の周縁部に取り付けたリング状の樹脂バンドをフレームの内向きの屈曲壁の内部に弾性的に折り込み、この折り込みによって生じる反発力を利用して、表皮材の周縁部をフレームに固定したものである。このため、従来の接着剤や金属製のクリップを用いた構造よりも、表皮材の固定を簡単かつ確実に行うことができる利点がある。
【図面の簡単な説明】
【００１０】
【図１】実施形態の座席を備えた椅子の全体図である。
【図２】実施形態の座席の部分拡大断面図である。
【図３】表皮材を被せる前の状態を示す斜視図である。
【図４】表皮材を被せた状態を示す斜視図である。
【図５】折り曲げ途中の状態を示す斜視図である。
【図６】折り曲げが完了したを示す斜視図である。
【図７】図４に対応する概念的な断面図である。
【図８】図５に対応する概念的な断面図である。
【図９】図６に対応する概念的な断面図である。
【発明を実施するための形態】
【００１１】
以下に図面を参照しつつ、本発明の実施形態を説明する。
図１は本発明の実施形態の座席１０を備えた椅子の全体図、図２はその部分拡大断面図である。劇場、映画館、音楽ホールなどに設置される椅子の座席１０は、使用しないときには後部に設けられた水平な回転軸１１を中心として、上方に跳ね上げることができるようになっている。１２は背もたれ、１３は側壁である。
【００１２】
図２に示されるように、この座席１０は、金属製の四角形のフレーム１４の上部に、基板１５とクッション材１６とを配置し、それら全体を布製の表皮材１７で覆った構造である。表皮材１７の材質は、ビニールレザー、革などであってもよい。金属製のフレーム１４は縦断面はＬ字状であって、少なくとも下部に内向きの屈曲壁１９を備えている。フレーム１４の垂直壁２０の内面には、前記した回転軸１１が溶接されている。図３に、表皮材１７を被せる前の状態を示す。
【００１３】
クッション材１６は基板１５の上面に形成されたもので、本実施形態では発泡ウレタン樹脂からなる。そしてクッション材１６の表面及びフレーム１４の側面は、表皮材１７で覆われている。以上の構成は従来品と特に変わるものではないが、本発明は表皮材１７の周縁部の固定方法に大きな特徴があるので、以下に説明する。
【００１４】
図４に示すように、表皮材１７はフレーム１４、基板１５、クッション材１６を収納できる形状に袋状に縫製される。そしてその開口の周縁部に、リング状の樹脂バンド２１を取り付ける。
【００１５】
樹脂バンド２１は適度の剛性と弾性とを備えた一定幅のものであり、この実施形態では樹脂芯材として市販されている幅が５〜１５ｍｍ、厚みが０.５〜３.０ｍｍのポリプロピレンバンドが用いられている。なお、樹脂バンド２１の幅は１０〜１５ｍｍ、厚みは２.０〜３.０ｍｍとすることがより好ましい。樹脂バンド２１はその端部どうしを縫製・接着・溶着・連結具などによって接合し、リング状としている。その全長は、四角形のフレーム１４の内周長とほぼ等しくしておくことが好ましい。なお、樹脂バンド２１の材質はポリプロピレンに限定されるものではなく、その他の樹脂を用いることもできる。
【００１６】
袋状に縫製された表皮材１７の開口の周縁部への樹脂バンド２１の取付は、ミシンによって縫い付ける方法が好ましい。しかし必ずしも縫い付けに限定されるものではなく、接着又は溶着することも可能である。
【００１７】
リング状の樹脂バンド２１を取り付けたうえで、その開口部を人手によって変形させながら、袋状に縫製された布製の表皮材１７を、フレーム１４、基板１５、クッション材１６に被せ、図３の状態とする。外力を加えなければ、樹脂バンド２１の開口部は、樹脂バンド２１の剛性及び弾性によって、図４のようにほぼ円形となる。
【００１８】
次に樹脂バンド２１が取り付けられた表皮材１７の周縁部を、フレーム１４の内向きの屈曲壁１８，１９の内部に弾性的に折り込む。リング状の樹脂バンド２１はそれ自体の剛性と弾性によって、図３に示した円形リングの状態を維持しようとするが、外力を加えることによってその一部を内向きに折り曲げることができる。このリング状の樹脂バンド２１の性質を利用して、順次織り込んで行き、最終的に図５のような状態となる。この最後の部分を弾性変形させながら内側に折り込むと、リング状の樹脂バンド２１は折り込みによって生じる外向きの反発力によってフレーム１４の内部で外向きに拡がり、図６のように表皮材１７の周縁部はフレーム１４に固定される。
【００１９】
図７から図９に、上記した折り込み工程を概念的な断面図で示した。図７は図４に対応する状態であり、リング状の樹脂バンド２１は円形リングの状態にある。図８は外力を加えて折り込み途中の状態であり、図５に対応する。この図８の状態では樹脂バンド２１に元の形状に復元しようとする反発力が生じている。このように、手を離すと樹脂バンド２１は元の円形リングの状態に復帰し、図９のようにフレーム１４の垂直壁２０の内面に密着した状態、すなわち図６の状態となる。それと同時に表皮材１７の周縁部はフレーム１４に密着した状態で固定される。
【００２０】
なお、コーナー部では表皮材１７に多少の重なりが生じることが避けられないが、実際の座席ではフレーム１４の下側の屈曲壁１９の下面にさらに蓋板（図示せず）が取り付けられるので、屈曲壁１９の下面は外部から見えなくなり、商品価値を低下させるおそれはない。
【００２１】
以上に説明したように、本発明の椅子用座席は、表皮材１７の周縁部に取り付けたリング状の樹脂バンド２１の反発力を利用して、表皮材１７の周縁部をフレーム１４に固定したものであるから、従来の接着剤や金属製のクリップ又はタッカーを用いて固定した構造よりも、表皮材の固定を簡単かつ確実に行うことができる。
【符号の説明】
【００２２】
１０  座席
１１  回転軸
１２  背もたれ
１３  側壁
１４  フレーム
１５  基板
１６  クッション材
１７  表皮材
１９  下部の屈曲壁
２０  垂直壁
２１  樹脂バンド
【図１】
2020068932.tif 000003
【図２】
2020068932.tif 000004
【図３】
2020068932.tif 000005
【図４】
2020068932.tif 000006
【図５】
2020068932.tif 000007
【図６】
2020068932.tif 000008
【図７】
2020068932.tif 000009
【図８】
2020068932.tif 000010
【図９】
2020068932.tif 000011